(57)【要約】【課題】油漏れ不良の可能性のある柱上変圧器等油入機器の車両運搬時における漏油防止と簡易な漏油処分を可能とする漏油防止養生シートを提供する。【解決手段】対辺の長さが等しい四角形の厚紙に合成樹脂皮膜を表裏両面にラミネートした不透水性シートと、前記不透水性シートの四隅に外周頂点から任意幅で正方形の再貼着可能な粘着部を表裏両面に設け、前記粘着部は剥離紙と粘着剤層で構成され、前記四隅に設けた粘着部と同一幅で前記不透水性シートの外周縁部の粘着部を除く残余外周縁部に密着・脱着可能なチャック部を有する合成樹脂のチャック帯を表裏両面に設け、前記不透水性シートの外周縁部より内側の片面には油吸着素材を積層し、前記外周縁部を内側に折り込む折込線を設け、前記粘着部を設けた四隅の正方形部分は外周頂点から対角線上に折り込む折込線を設けたことを特徴とする漏油防止の養生シートである。【選択図】図１
0003151013.tif 000002
【実用新案登録請求の範囲】
【請求項１】
四角形のシートにおいて該シートと隣り合うシートの縁端同士を連結して連続した一面のシートとし、その外周縁部を内側に折り込んで一面の受皿形状を成す漏油防止のための養生シートであって、対辺の長さが等しい四角形の厚紙に合成樹脂皮膜を表裏両面にラミネートした不透水性シートと、前記不透水性シートの四隅に外周頂点から任意幅で正方形の再貼着可能な粘着部を表裏両面に設け、前記粘着部は剥離紙と粘着剤層で構成され、前記四隅に設けた粘着部と同一幅で前記不透水性シートの外周縁部の粘着部を除く残余外周縁部に密着・脱着可能なチャック部を有する合成樹脂のチャック帯を表裏両面に設け、前記不透水性シートの外周縁部より内側の片面には油吸着素材を積層し、前記外周縁部を内側に折り込む折込線を設け、前記粘着部を設けた四隅の正方形部分は外周頂点から対角線上に折り込む折込線を設けたことを特徴とする漏油防止養生シート。
【請求項２】
請求項１記載の前記漏油防止養生シートにおいて、外周縁部のチャック部の表裏両面の形状は表面と裏面で互いに相反する凸凹形状を成し、表面と裏面を重ね合わせることで密着・脱着ができることを特徴とする漏油防止養生シート。
【考案の詳細な説明】
【技術分野】
【０００１】
本考案は油漏れ不良の可能性のある柱上変圧器等油入機器の車両運搬時における漏油防止と簡易な漏油処分を可能とする漏油防止養生シートに関するものである。
【背景技術】
【０００２】
一般に、油漏れ不良の可能性のある柱上変圧器等油入機器の運搬の際は車両荷台上に受皿となる金属トレイを敷き、輸送中の漏油を防止する方法がとられている。
【考案の開示】
【考案が解決しようとする課題】
【０００３】
しかしながら、この方法では、荷台上に金属トレイを設置するため、フォークリフト車両を使用する等、作業に手間が掛かるばかりか、万一、車両運搬時に荷台上で油漏れが発生した場合、受皿となる金属トレイに油が付着し、清掃処理に非常な労力を要することになり、作業性が悪いという問題があった。
【０００４】
工事現場から撤去された柱上変圧器等油入機器を車両運搬する場合、油入機器本体の上部にある上蓋やブッシングを固定密着するためのパッキンが劣化したものでは運搬中の荷台上の振動によって機器内部の油が揺れ動き、パッキンの僅かな隙間から微量の油が滲み出る漏油現象が発生する可能性がある。このような場合、一般的には、専用車両の荷台に受皿となる金属トレイを敷き詰め、油漏れ不良の可能性がある柱上変圧器等油入機器の車両運搬を行っているが、この方法では荷台に金属トレイを設置する作業に手間が掛かるばかりか、万一、車両運搬時に荷台上で油漏れが発生した場合、受皿となる金属トレイに油が付着し、清掃処理に非常な労力を要することになり、作業性が悪いという問題があった。本考案ではこれらの問題を解決するため、車両荷台上での漏油防止養生シートを提供することを目的とする。
【課題を解決するための手段】
【０００５】
本考案は四角形のシートにおいて該シートと隣り合うシートの縁端同士を連結して連続した一面のシートとし、その外周縁部を内側に折り込んで一面の受皿形状を成す漏油防止のための養生シートであって、対辺の長さが等しい四角形の厚紙に合成樹脂皮膜を表裏両面にラミネートした不透水性シートと、前記不透水性シートの四隅に外周頂点から任意幅で正方形の再貼着可能な粘着部を表裏両面に設け、前記粘着部は剥離紙と粘着剤層で構成され、前記四隅に設けた粘着部と同一幅で前記不透水性シートの外周縁部の粘着部を除く残余外周縁部に密着・脱着可能なチャック部を有する合成樹脂のチャック帯を表裏両面に設け、前記不透水性シートの外周縁部より内側の片面には油吸着素材を積層し、前記外周縁部を内側に折り込む折込線を設け、前記粘着部を設けた四隅の正方形部分は外周頂点から対角線上に折り込む折込線を設けたことを特徴とする漏油防止養生シートであり、これを車両荷台上に設置することで上述の問題点を解決している。
【考案の効果】
【０００６】
本考案は油漏れ不良の可能性のある柱上変圧器等油入機器の車両運搬の際に荷台に受皿となる金属トレイを設置することなく、さらには荷台上での養生面積は前記シート同士を繋ぎ合わせることで必要とする大きさにすることができるため、荷台上で養生を必要とする物と必要としない物を混載して運搬する場合や荷台上の固縛フック止めの位置によって養生面積を容易に変更することができる。本考案の漏油防止養生シートを敷くことで作業性の向上と低廉かつ安価な方法で安全・確実な漏油防止及び簡易な漏油処分を可能とする。
【考案を実施するための最良の形態】
【０００７】
以下、本考案の第一実施例を添付図面に基づいて詳述する。
図１は本考案による漏油防止養生シートの平面図を示す。対辺の長さが等しい四角形の厚紙に合成樹脂皮膜を表裏両面にラミネートした不透水性シート（１）を用いて、その四隅の外周頂点（ａ）から任意幅で正方形の再貼着可能な粘着部（２）を表裏両面に設け、その粘着部（２）は剥離紙と粘着剤層で構成されている。さらに粘着部（２）と同一幅で不透水性シート（１）の外周縁部の粘着部（２）を除いた残りの外周縁部には密着・脱着可能なチャック部を有する合成樹脂のチャック帯（３）を表裏両面に設け、外周縁部に設けたチャック帯（３）より内側の片面には油吸着素材（４）が積層されている。また、外周縁部を内側に折り込む折込線（５）を設け、粘着部（２）を設けた四隅の正方形部分は外周頂点（ａ）から対角線上に折り込む折込線（６）が設けられている。さらに正方形の再貼着可能な粘着部（２）は折込線（６）を境として対称に二等分する三角形状の剥離紙で被われており、この三角形状の剥離紙を左右対称に剥がすことで粘着部（２）を容易に貼着できるようになっている。この粘着部（２）の構造は表裏両面共に同様の形体で剥離紙と粘着剤層で構成されている。また、粘着部（２）で用いる粘着剤は、例えばアクリル系の粘着剤が用いられるが、このほかにウレタン系やポリエステル系、合成ゴム系等の粘着剤も用いることができる。
【０００８】
図２は図１の１ａ−１ｂ断面図を示す。厚紙に合成樹脂皮膜を表裏両面にラミネートした不透水性シート（１）を用いて、その外周縁部にあたる両縁部分には合成樹脂のチャック部を表裏両面に貼り合わせたチャック帯（３）を設けており、このチャック帯（３）のチャック部は表裏両面の形状が互いに相反する凸凹形状を成し、チャック帯（３）より内側の上部面には油吸着素材（４）が積層されている。この油吸着素材（４）は、例えば綿等の天然繊維素材が用いられるが、このほかにポリプロピレン等の化学繊維素材も用いることができ、油を吸着する素材として自重の数十倍以上の油吸着力を有する素材を貼り合わせてある。
【０００９】
図３は漏油防止養生シートの連結状態を示した平面図を示す。４面のシート（１−１、１−２、１−３、１−４）を隣り合うシートの縁端同士を連結して連続した一面のシートとしたものであり、各々のシートの外周縁部にある粘着部（２）とチャック帯（３）を用いて隣り合うシートの縁端同士を重ね合わせて連結し、連続した一面のシートとして使用することができる。隣り合うシートの縁端同士の接続関係は例えばシート（１−１）とシート（１−２）の隣り合う縁端辺をチャック帯（３）を用いてシート（１−１）側のチャック部の表側の凸形状部を下に敷き、シート（１−２）側のチャック部の裏側の凹形状部を上に重ね合わせて連結し、さらに両端の粘着部（２）の表側と裏側の接続面の剥離紙を各々剥がして貼着することで連結ができる。
【００１０】
図４は図３の２ａ−２ｂ断面の連結前の状態を示した断面図を示す。漏油防止養生シートの（１−１）と（１−２）の隣り合う縁端同士をチャック帯（３）を用いてシート（１−１）側のチャック部の表側の凸形状部（７）を下に敷き、シート（１−２）側のチャック部の裏側の凹形状部（８）を上に重ね合わせて連結することができる。
【００１１】
図５は図３における漏油防止養生シートの連結状態を示した平面図の外周縁部を折り込み立上げした状態の平面図を示す。図３における漏油防止養生シートの連結状態を示した平面図の外周縁部を内側に折り込み立ち上げた状態で四隅にある粘着部（２）の剥離紙を剥がして四隅を重ね留めする前の状態を示したものである。
【００１２】
図６は図５の漏油防止養生シートの連結状態を示した平面図の外周縁部を折り込み立上げした状態の斜視図を示す。図３における漏油防止養生シートの連結状態を示した平面図の外周縁部を内側に折り込み立ち上げた状態で四隅にある粘着部（２）の剥離紙を剥がして四隅を重ね留めした後の受皿形状の状態を示したものである。
【００１３】
図７は図６の漏油防止養生シートの四隅を重ね留めした粘着部（２）の外側の三角形状の剥離紙を剥がして折込線（５）に沿って折り畳んで貼着した斜視図を示す。
【００１４】
図８は図１の３ａ−３ｂ断面図を示す。漏油防止養生シートの外周縁部には密着・脱着可能なチャック部を有する合成樹脂のチャック帯（３）を表裏両面に設けており、このチャック部の形状は図８の例では表側の凸形状部（７）と裏側の凹形状部（８）のように表側と裏側で相反する凸凹形状となっている。これは表側と裏側で相反する凸凹形状となっていればよいため、凸形状部（７）と凹形状部（８）が裏側と表側で反対であってもよい。さらに２つの凸形状部（７）の中心から中心までの間隔（ｂ）と凹形状部（８）の中心から中心までの間隔（ｃ）は等距離（ｂ＝ｃ）となっている。
【００１５】
本実施例では図８のチャック部の突起は２つとなっているがこれはいくつであってもよい。
【００１６】
なお、本考案は上記実施例において車両の荷台上の養生シートに限定することなく、油入物品等の保管・管理上での漏油防止養生シートとして適用することもできる。
【図面の簡単な説明】
【００１７】
【図１】本考案による漏油防止養生シートの平面図である。
【図２】図１の１ａ−１ｂ断面図である。
【図３】漏油防止養生シートの連結状態を示した平面図である。
【図４】図３の２ａ−２ｂ断面の連結前の状態を示した断面図である。
【図５】図３における漏油防止養生シートの連結状態を示した平面図の外周縁部を折り込み立上げした状態の平面図である。
【図６】図５の漏油防止養生シートの連結状態を示した平面図の外周縁部を折り込み立上げした状態の斜視図である。
【図７】図６の漏油防止養生シートの四隅を重ね留めした粘着部２の外側の三角形状の剥離紙を剥がして折込線５に沿って折り畳んで貼着した斜視図である。
【図８】図１の３ａ−３ｂ断面図である。
【符号の説明】
【００１８】
１    不透水性シート
２    粘着部
３    チャック帯
４    油吸着素材
５    外周縁部を内側に折り込む折込線
６    粘着部の正方形部分を外周頂点から対角線上に折り込む折込線
７    チャック部の凸形状部
８    チャック部の凹形状部
ａ    外周頂点
ｂ    ２つの凸形状部の中心から中心までの間隔
ｃ    ２つの凹形状部の中心から中心までの間隔
【図１】
0003151013.tif 000003
【図２】
0003151013.tif 000004
【図３】
0003151013.tif 000005
【図４】
0003151013.tif 000006
【図５】
0003151013.tif 000007
【図６】
0003151013.tif 000008
【図７】
0003151013.tif 000009
【図８】
0003151013.tif 000010